(57)【要約】【課題】転写時の転写テープのたるみを防止でき、かつ、小型化及び設計の自由度の向上が図れる塗膜転写具を提供すること。【解決手段】開口部１０ａを有する有底筒状のケース１０を構成するケース半体１１，１２と、ケース内に回転可能に配設される繰出しリール２０及び巻取リール３０と、ケース半体の一方の開口部に配設される転写押圧部１３と、ケースの内外側に移動可能なスライド部材４０と、を具備し、スライド部材は、転写開口４１ａを有する枠部４１と、ケース内に移動自在に挿入されるスライド部４２と、ケースの底部に弾接して常時枠部をケースの外方へ移動するばね部４３と、スライド部がケースの開口部の外方側に移動する際にのみ巻取リールと同軸上の巻取ギア３２と噛合するラックギア４４と、を一体に形成し、繰出しリールは、ケース半体に突設された支持軸１４ａに、ブレーキを付与すべく弾性を付勢して回転可能に装着する。【選択図】    図３
2016190410.tif 000002
【特許請求の範囲】
【請求項１】
一端に開口部を有する有底筒状のケースを構成するケース半体と、
上記ケース内に回転可能に配設され、表面に塗膜が塗布された転写テープを巻装する繰出しリールと、
上記ケース内に回転可能に配設され、使い終わった転写テープを巻き取る巻取リールと、
上記ケース半体の一方の開口部に配設され、上記転写テープの裏面側を押圧する転写押圧部と、
上記ケースの開口部を介して内外側に移動可能なスライド部材と、を具備するスタンプ型塗膜転写具であって、
上記スライド部材は、上記ケースの開口部の外方に露出し、上記開口部と連通する転写開口を有する枠部と、上記ケース内に移動自在に挿入されるスライド部と、上記ケースの底部に弾接して常時上記枠部をケースの外方へ移動するばね部と、上記スライド部が上記ケースの開口部の外方側に移動する際にのみ上記巻取リールと同軸上に設けられた巻取ギアと噛合するラックギアと、を一体に形成し、
上記繰出しリールは、上記ケース半体に突設された支持軸に、ブレーキを付与すべく弾性を付勢して回転可能に装着される、ことを特徴とするスタンプ型塗膜転写具。
【請求項２】
請求項１に記載のスタンプ型塗膜転写具において、
上記繰出しリールの回動軸又は上記支持軸のいずれか一方の軸を他方の軸を遊嵌する筒状軸にて形成し、上記筒状軸の先端側に先端が開口する複数のスリットを介して弾性変形可能な複数の保持片を形成すると共に、各保持片の先端に上記他方の軸の外周面に弾接する押圧爪を形成してなる、ことを特徴とするスタンプ型塗膜転写具。
【請求項３】
請求項１又は２に記載のスタンプ型塗膜転写具において、
上記巻取ギアは、上記巻取リールを構成する鍔部の外周側表面に設けられ、上記ラックギアは、上記スライド部の先端に直状に延設される弾性変形可能な板状突片の先端部表面に設けられる、ことを特徴とするスタンプ型塗膜転写具。
【請求項４】
請求項１ないし３のいずれかに記載のスタンプ型塗膜転写具において、
上記巻取リールと、上記ケース半体に突設されて巻取リールを回転可能に支持する支持軸との間に、巻取リールの巻取り方向と逆方向の回転を阻止する逆回転防止機構を更に具備する、ことを特徴とするスタンプ型塗膜転写具。
【請求項５】
請求項４に記載のスタンプ型塗膜転写具において、
上記逆回転防止機構は、上記ケース半体における上記支持軸の中心と同心円上に設けられる面状歯部と、上記巻取リールの回動軸の先端部においてそれぞれ回動軸の周方向に円弧状に突設される弾性変形可能な複数のラチェット爪とを具備し、上記面状歯部と上記ラチェット爪は、上記巻取リールが巻取り方向と逆方向に回転するときに係合可能に形成されている、ことを特徴とするスタンプ型塗膜転写具。
【発明の詳細な説明】
【技術分野】
【０００１】
この発明は、転写テープから塗膜を被転写面に転写するスタンプ型塗膜転写具に関するものである。
【背景技術】
【０００２】
従来、この種の転写具として、筒体や軸筒等のケース内にそれぞれ回転自在に配設される転写テープを巻装する供給リール及び使い終わった転写テープを巻き取る巻き上げリールと、転写テープの表面を押圧する押棒と、ケース内に移動自在に配設されると共に、ばね部材（スプリング、ヒゲバネ）の弾性によって保持されるスライダーと、を具備し、上記スライダーに設けられた巻き上げ爪を、巻き上げリールと同一軸上に設けられたギアに、転写テープの巻き上げ方向のみ噛合させる構造のものが知られている（例えば、特許文献１参照）。
【０００３】
特許文献１には、ケースを構成する軸筒内にスプリング及びヒゲバネの弾性によって出没自在に保持される先端に開口を有するスライダーに、軸筒に設けられた係止ピンに遊嵌する溝部を設けて、スライダーの出没に応じてスライダーの先端の開口から出没可能にし、押棒を転写テープの裏面に押圧して転写するスタンプ型の構造が開示されている。なお、転写テープはスライダーの開口側に設けられる２本の誘導ピンによって張力が付与されている。
【０００４】
また、特許文献１に記載のものにおいては、供給リールと巻き上げリールは回転自在であるため、供給リール及び巻き上げリールと同一軸上に設けられたギアにそれぞれ逆転防止爪を設けて供給リールと巻き上げリールの回転を規制している。
【先行技術文献】
【特許文献】
【０００５】
【特許文献１】特開平６−５５８９５号公報（特許請求の範囲、段落００１８〜００２０、図２）
【発明の概要】
【発明が解決しようとする課題】
【０００６】
しかしながら、特許文献１に記載のものにおいては、転写の際に転写テープに張力を発生させている誘導ピンも一緒に押し込まれてしまう。このとき、巻き取りが行われる訳でないので、転写テープにたるみが発生する懸念がある。その他、塗膜が転写テープから剥離する際の剥離力によって意図しない転写テープの繰り出しが起こる虞もある。
また、複数のばね部材を設ける必要があることの他に、２箇所に逆転防止機構を設ける必要があるため、部品点数が多くなり、転写具自体が大型になる上、設計の自由度が少ないなどの懸念もある。
【０００７】
この発明は、上記事情に鑑みてなされたもので、転写時の転写テープのたるみを防止でき、かつ、小型化及び設計の自由度の向上が図れるスタンプ型塗膜転写具を提供する。
【課題を解決するための手段】
【０００８】
上記課題を解決するために、この発明は、一端に開口部を有する有底筒状のケースを構成するケース半体と、上記ケース内に回転可能に配設され、表面に塗膜が塗布された転写テープを巻装する繰出しリールと、上記ケース内に回転可能に配設され、使い終わった転写テープを巻き取る巻取リールと、上記ケース半体の一方の開口部に配設され、上記転写テープの裏面側を押圧する転写押圧部と、上記ケースの開口部を介して内外側に移動可能なスライド部材と、を具備するスタンプ型塗膜転写具であって、  上記スライド部材は、上記ケースの開口部の外方に露出し、上記開口部と連通する転写開口を有する枠部と、上記ケース内に移動自在に挿入されるスライド部と、上記ケースの底部に弾接して常時上記枠部をケースの外方へ移動するばね部と、上記スライド部が上記ケースの開口部の外方側に移動する際にのみ上記巻取リールと同軸上に設けられた巻取ギアと噛合するラックギアと、を一体に形成し、  上記繰出しリールは、上記ケース半体に突設された支持軸に、ブレーキを付与すべく弾性を付勢して回転可能に装着される、ことを特徴とする（請求項１）。
【０００９】
このように構成することにより、繰出しリールは、ケース半体に突設された支持軸に、ブレーキを付与すべく弾性を付勢して回転可能に装着されることで、巻取リールの回転により生じる張力によって回転する繰出しリールから繰り出される転写テープのたるみを防止することができる。また、転写テープの巻き取りに寄与するばね部とラックギアをスライド部材と一体に形成することができる。
【００１０】
この発明において、上記繰出しリールの回動軸又は上記支持軸のいずれか一方の軸を他方の軸を遊嵌する筒状軸にて形成し、上記筒状軸の先端側に先端が開口する複数のスリットを介して弾性変形可能な複数の保持片を形成すると共に、各保持片の先端に上記他方の軸の外周面に弾接する押圧爪を形成するのが好ましい（請求項２）。
【００１１】
このように構成することにより、繰出しリールの回動軸と繰出しリールを回転可能に支持する支持軸との間にブレーキ機構を形成することができ、巻取リールの回転により生じる張力によって回転する繰出しリールから繰り出される転写テープのたるみを防止することができる。
【００１２】
この発明において、上記巻取ギアと上記ラックギアは、上記スライド部が上記ケースの開口部の外方側又は内方側に移動する際にのみ噛合するものであれば、任意の構造であっても差し支えないが、好ましくは、上記巻取ギアは、上記巻取リールを構成する鍔部の外周側表面に設けられ、上記ラックギアは、上記スライド部の先端に直状に延設される弾性変形可能な板状突片の先端部表面に設けられるのがよい（請求項３）。
【００１３】
このように構成することにより、巻取ギアを厚くすることなく、巻取ギアとラックギアの噛合を確実にすることができると共に、巻取ギアとラックギアの占めるスペースを小さくすることができる。
【００１４】
また、この発明において、上記巻取リールと、上記ケース半体に突設されて巻取リールを回転可能に支持する支持軸との間に、巻取リールの巻取り方向と逆方向の回転を阻止する逆回転防止機構を更に具備するのが好ましい（請求項４）。この場合、上記逆回転防止機構は、上記ケース半体における上記支持軸の中心と同心円上に設けられる面状歯部と、上記巻取リールの回動軸の先端部においてそれぞれ回動軸の周方向に円弧状に突設される弾性変形可能な複数のラチェット爪とを具備し、上記面状歯部と上記ラチェット爪は、上記巻取リールが巻取り方向と逆方向に回転するときに係合可能に形成されているのが好ましい（請求項５）。
【００１５】
このように構成することにより、ばね部の弾性力に抗してスライド部材がケースの内側に移動する際に巻取リールが逆回転して巻き取った転写テープがたるむのを防止することができる。この場合、逆回転防止機構は、ケース半体における支持軸の中心と同心円上に設けられる面状歯部と、巻取リールの回動軸の先端部においてそれぞれ回動軸の周方向に円弧状に突設される弾性変形可能な複数のラチェット爪とを具備し、面状歯部とラチェット爪は、巻取リールが巻取り方向と逆方向に回転するときに係合可能に形成することにより、逆転防止機構の組付けを容易にすることができる（請求項５）。
【発明の効果】
【００１６】
この発明の塗膜転写具によれば、上記のように構成されているので、以下のような効果が得られる。
【００１７】
（１）請求項１，２に記載の発明によれば、巻取リールの回転により生じる張力によって回転する繰出しリールから繰り出される転写テープのたるみを防止することができる。また、転写テープの巻き取りに寄与するばね部とラックギアをスライド部材と一体に形成することができるので、部品点数の低減が図れ、また、小型化が図れると共に、設計の自由度の向上が図れる。
【００１８】
（２）請求項３に記載の発明によれば、巻取ギアを厚くすることなく、巻取ギアとラックギアの噛合を確実にすることができると共に、巻取ギアとラックギアの占めるスペースを小さくすることができるので、上記（１）に加えて、更に小型化が図れると共に、組付けを容易にすることができる。
【００１９】
（３）請求項４，５に記載の発明によれば、上記（１），（２）に加えて、更に、ばね部の弾性力に抗してスライド部材がケースの内側に移動する際に巻取リールが逆回転して巻き取った転写テープがたるむのを防止することができる。この場合、逆回転防止機構は、ケース半体における支持軸の中心と同心円上に設けられる面状歯部と、巻取リールの回動軸の先端部においてそれぞれ回動軸の周方向に円弧状に突設される弾性変形可能な複数のラチェット爪とを具備し、面状歯部とラチェット爪は、巻取リールが巻取り方向と逆方向に回転するときに係合可能に形成することにより、逆転防止機構の組付けを容易にすることができる（請求項５）。
【図面の簡単な説明】
【００２０】
【図１】この発明に係る塗膜転写具を示す斜視図である。
【図２】上記塗膜転写具の内部を示す一部断面斜視図である。
【図３】上記塗膜転写具の要部を示す概略断面図（ａ）及び（ａ）のＩ部拡大図（ｂ）及び（ａ）のII−II線に沿う要部拡大断面図（ｃ）である。
【図４】この発明における繰出しリールと支持軸の取付状態を示す斜視図である。
【図５】この発明における繰出しリール、巻取リール及びスライド部材を示す斜視図である。
【図６Ａ】この発明におけるケース半体の一方を示す斜視図である。
【図６Ｂ】この発明におけるケース半体の他方を示す斜視図である。
【図７】この発明における巻取リールのラチェット爪を示す平面図（ａ）、ケース半体に設けられた面状歯部を示す平面図（ｂ）及び上記ラチェット爪と面状歯部の係合関係を示す模式図（ｃ）である。
【図８】この発明におけるスライド部材を示す斜視図である。
【発明を実施するための形態】
【００２１】
以下に、この発明の実施形態について、添付図面に基づいて詳細に説明する。ここでは、この発明に係る塗膜転写具を粘着転写具に適用した場合について説明する。
【００２２】
この発明に係る塗膜転写具は、図１ないし図３に示すように、一端に開口部１０ａを有する有底筒状のケース１０を構成するケース半体１１，１２（以下に第１のケース半体１１、第２のケース半体１２という）と、ケース１０内に回転可能に配設され、基材２の表面に塗膜である粘着剤３が塗布された転写テープ１を巻装する繰出しリール２０と、ケース１０内に回転可能に配設され、使い終わった転写テープ１を巻き取る巻取リール３０と、第１及び第２のケース半体１１，１２の一方すなわち第１のケース半体１１の開口部１０ａに配設され、転写テープ１の裏面側を押圧する転写押圧部１３と、ケース１０の開口部１０ａを介して内外側に移動可能なスライド部材４０と、ケース１０の開口部１０ａに着脱可能に装着されるキャップ５０と、を具備する。なお、繰出しリール２０は、第１のケース半体１１に突設された後述する第１の繰出しリール支持軸１４ａに、ブレーキを付与すべく弾性を付勢して回転可能に装着されている。この繰出しリール２０のブレーキ機能については後述する。
【００２３】
ケース１０は、一端に矩形状の開口部１０ａを有する有底角筒状に形成され、ケース１０を構成する第１及び第２のケース半体１１，１２は、合成樹脂製部材にて形成されており、ケース１０の開口部１０ａから底部１０ｂに渡って水平に分割された断面略角形Ｕ字状に形成されている。
【００２４】
この場合、第１のケース半体１１の開口部１０ａには、転写テープ１の裏面側を押圧する転写押圧部１３が突設されている。この転写押圧部１３は、矩形状の開口部１０ａの中央に位置する矩形状の押圧面１３ａを有しており、押圧面１３ａが開口部１０ａより若干外方側に突出している。また、第１のケース半体１１の開口部１０ａ側の転写押圧部１３より後方側には繰出しリール２０を回転可能に支持する第１の繰出しリール支持軸１４ａが突設され、第１のケース半体１１の底部１０ｂ側には巻取リール３０を回転可能に支持する第１の巻取リール支持軸１５ａが突設されている（図６Ｂ参照）。
【００２５】
一方、第２のケース半体１２の開口部１０ａ側には繰出しリール２０を回転可能に支持する第２の繰出しリール支持軸１４ｂが突設され、第２のケース半体１２の底部１０ｂ側には巻取リール３０を回転可能に支持する第２の巻取リール支持軸１５ｂが突設されている（図６Ａ参照）。
【００２６】
上記スライド部材４０は、合成樹脂製部材にて形成されており、図８に示すように、ケース１０の開口部の外方に露出し、開口部１０ａと連通する転写開口４１ａを有する枠部４１と、ケース１０内に移動自在に挿入されるスライド部４２と、ケース１０の底部１０ｂに弾接して常時枠部４１をケース１０の外方へ移動するばね部４３と、スライド部４２がケース１０の開口部１０ａの外方側に移動する際にのみ巻取リール３０と同軸上に設けられた巻取ギア３２と噛合するラックギア４４と、を一体に形成してなる。
【００２７】
この場合、スライド部４２は、枠部４１の両側枠片４１ｂ、４１ｃと底枠片４１ｄに延在する両側片４２ａ，４２ｂと底片４２ｃを有しており、底片４２ｃには、スライド部４２がケース１０内を移動する際に、繰出しリール２０との干渉を回避する切欠き孔４２ｄと、巻取リール３０との干渉を回避する凹状切欠き４２ｅが設けられている。また、底片４２ｃにおける一方の側片４２ａ側の先端には、板状突片４２ｆが直状に延設されており、板状突片４２ｆの先端部表面にラックギア４４が設けられている。なお、側片４２ａの下部に水平に延びる直状のスリット４２ｇが設けられており、この直状のスリット４２ｇによって板状突片４２ｆが弾性変形可能に形成されている。
【００２８】
上記のように形成される板状突片４２ｆの先端部表面に設けられるラックギア４４は、巻取リール３０を構成する鍔部３０ａの外周側表面に設けられた巻取ギア３２と噛合可能に形成されている。つまり、スライド部４２がケース１０の開口部１０ａの外方側に移動する際にのみ、ラックギア４４と巻取リール３０の鍔部３０ａの外周側表面に設けられた巻取ギア３２と噛合するようになっている。
【００２９】
また、ばね部４３は、スライド部４２の側枠４２ｂの先端から湾曲状に屈曲する弾性変形可能なばね基部４３ａと、ばね基部４３ａの先端に設けられる円形状の膨隆頭部４３ｂとで形成されている。このように形成されるばね部４３は、ばね基部４３ａの弾性力によって膨隆頭部４３ｂがケース１０の底部１０ｂに弾接してスライド部材４０の枠部４１を常時ケース１０の外方へ移動する。
【００３０】
次に、繰出しリール２０のブレーキ機能について説明する。本実施形態では、繰出しリール２０と第１のケース半体１１に設けられた第１の繰出しリール支持軸１４ａとの間に、繰出しリール２０のブレーキ機能が付与されている。
【００３１】
この場合、図３及び図４に示すように、繰出しリール２０の回動軸２１は、第１のケース半体１１に突設された第１の繰出しリール支持軸１４ａを遊嵌する筒状軸にて形成されている。また、筒状の回動軸２１の先端側には、先端が開口する周方向に等間隔の複数（例えば３個）のスリット２２を介して弾性変形可能な複数（３個）の保持片２３が形成されており、各保持片２３の先端に第１の繰出しリール支持軸１４ａの外周面に弾接する押圧爪２４が形成されている。このように形成することにより、繰出しリール２０にブレーキ機能を付与することができ、巻取リール３０の回転により生じる張力によって回転する繰出しリール２０から繰り出される転写テープ１のたるみを防止することができる。
【００３２】
上記実施形態では、繰出しリール２０の回動軸２１を円筒軸にて形成し、円筒状の回動軸２１に保持片２３と押圧爪２４を形成して、回動軸２１を第１のケース半体１１に突設された第１の繰出しリール支持軸１４ａに遊嵌すると共に、押圧爪２４を第１の繰出しリール支持軸１４ａの外周面に弾接してブレーキ機能を付与する場合について説明したが、回動軸２１に代えて第１の繰出しリール支持軸１４ａを円筒軸にて形成して同様のブレーキ機能を付与してもよい。すなわち、第１の繰出しリール支持軸１４ａは、繰出しリール２０の回動軸２１を遊嵌する筒状軸にて形成し、また、第１の繰出しリール支持軸１４ａの先端側に、先端が開口する周方向に等間隔の複数（例えば３個）のスリット２２を介して弾性変形可能な複数（３個）の保持片２３を形成すると共に、各保持片２３の先端に回動軸２１の外周面に弾接する押圧爪２４を形成するようにしてもよい。
【００３３】
なお、上記実施形態では、繰出しリール２０と第１のケース半体１１に設けられた第１の繰出しリール支持軸１４ａとの間に、繰出しリール２０のブレーキ機能が付与される場合について説明したが、繰出しリール２０と第２のケース半体１２に設けられた第２の繰出しリール支持軸１４ｂとの間に、繰出しリール２０のブレーキ機能を付与するようにしてもよい。
【００３４】
次に、巻取リール３０の逆回転防止機構について説明する。本実施形態では、巻取リール３０と、第２のケース半体１２に突設されて巻取リール３０を回転可能に支持する第２の巻取リール支持軸１５ｂとの間に、巻取リールの巻取り方向と逆方向の回転を阻止する逆回転防止機構を設けた場合である。
【００３５】
この場合、逆回転防止機構は、図５，図６Ａ及び図７に示すように、第２のケース半体１２における第２の巻取リール支持軸１５ｂの中心と同心円上に設けられる面状歯部１６と、巻取リール３０の回動軸３１の先端部においてそれぞれ回動軸３１の周方向に円弧状に突設される弾性変形可能な複数（２個）の先端に向かって下り傾斜面３３ａを有するラチェット爪３３とを具備し、面状歯部１６とラチェット爪３３は、巻取リール３０が巻取り方向（＋Ｒ）と逆方向（−Ｒ）に回転するときに係合可能に形成されている（図７（ｃ）参照）。なお、図７（ｃ）の模式図に示すように、ラチェット爪３３は先端に向かって下り傾斜面３３ａを有する断面略三角状に形成されているので、巻取リール３０が巻取り方向（＋Ｒ）に回転する場合は、面状歯部１６に干渉せず、巻取リール３０が逆方向（−Ｒ）に回転するときに面状歯部１６に係合して巻取リール３０の逆回転を阻止する。
【００３６】
このように構成される逆回転防止機構によれば、ばね部４３の弾性力に抗してスライド部材４０がケース１０の内側に移動する際に巻取リール３０が逆回転して巻き取った転写テープ１がたるむのを防止することができる。
【００３７】
なお、上記実施形態では、巻取リール３０と、第２のケース半体１２に突設された第２の巻取リール支持軸１５ｂとの間に、逆回転防止機構を設けた場合について説明したが、巻取リール３０と、第１のケース半体１１に突設された第１の巻取リール支持軸１５ａとの間に、逆回転防止機構を設けても同様の効果が得られる。
【００３８】
次に、上記のように構成される塗膜転写具を使用する場合は、まず、繰出しリール２０から引き出された転写テープ１が転写押圧部１３の表面に掛け渡されて巻取リール３０に巻き取られる状態にセットする。
【００３９】
この状態で、使用者はケース１０を手で持ち、被転写面４にスライド部材４０の枠部４１をばね部４３の弾性力に抗して押し当てると、スライド部材４０がケース１０の内側へ移動する一方、転写テープ１の裏面を押圧する転写押圧部１３が相対的にケース１０の外側に突出して粘着剤３（塗膜）が被転写面４に転写される。
【００４０】
粘着剤３（塗膜）を転写した後、転写具を持ち上げると、ばね部４３の弾性力によってスライド部材４０がケース１０の外側に移動する。この移動と共に巻取リール３０の鍔部３０ａに設けられた巻取ギア３２と噛合するラックギア４４も移動して巻取ギア３２と共に巻取リール３０を回転して使い終わった転写テープ１を巻き取る。このとき、巻取リール３０の回転により生じる張力によって回転する繰出しリール２０から転写テープ１が繰り出される。
【００４１】
上記のように構成される実施形態の塗膜転写具によれば、繰出しリール２０は、第１又は第２のケース半体１１，１２に突設された第１又は第２繰出しリール支持軸１４ａ，１４ｂに、ブレーキを付与すべく弾性を付勢して回転可能に装着されることで、巻取リール３０の回転により生じる張力によって回転する繰出しリール２０から繰り出される転写テープ１のたるみを防止することができる。
【００４２】
また、転写テープ１の巻き取りに寄与するばね部４３とラックギア４４をスライド部材４０と一体に形成することができるので、部品点数の低減が図れ、また、小型化が図れると共に、設計の自由度の向上が図れる。
【００４３】
また、巻取ギア３２を厚くすることなく、巻取ギア３２とラックギア４４の噛合を確実にすることができると共に、巻取ギア３２とラックギア４４の占めるスペースを小さくすることができるので、小型化が図れると共に、組付けを容易にすることができる。
【００４４】
更に、ばね部４３の弾性力に抗してスライド部材４０がケース１０の内側に移動する際に巻取リール３０が逆回転して巻き取った転写テープ１がたるむのを防止することができる。この場合、逆回転防止機構は、第１又は第２のケース半体１１，１２における第１又は第２の巻取リール支持軸１５ａ，１５ｂの中心と同心円上に設けられる面状歯部１６と、巻取リール３０の回動軸３１の先端部においてそれぞれ回動軸３１の周方向に円弧状に突設される弾性変形可能な複数のラチェット爪３３とを具備し、面状歯部１６とラチェット爪３３は、巻取リール３０が巻取り方向と逆方向に回転するときに係合可能に形成することにより、逆転防止機構の組付けを容易にすることができる。
【００４５】
なお、上記実施形態では、この発明に係る塗膜転写具を粘着転写具に適用した場合について説明したが、粘着剤に代えて修正塗料剤の塗膜を担持した転写テープを用いた塗膜転写具にも適用できる。
【符号の説明】
【００４６】
１  転写テープ
１０  ケース
１０ａ  開口部
１１  第１のケース半体
１２  第２のケース半体
１３  転写押圧部
１４ａ  第１の繰出しリール支持軸
１４ｂ  第２の繰出しリール支持軸
１５ａ  第１の巻取リール支持軸
１５ｂ  第２の巻取リール支持軸
１６  面状歯部
２０  繰出しリール
２１  回動軸
２２  スリット
２３  保持片
２４  押圧爪
３０  巻取リール
３０ａ  鍔部
３１  回動軸
３２  巻取ギア
３３  ラチェット爪
４０  スライド部材
４１  枠部
４１ａ  転写開口
４２  スライド部
４３  ばね部
４４  ラックギア
【図１】
2016190410.tif 000003
【図２】
2016190410.tif 000004
【図３】
2016190410.tif 000005
【図４】
2016190410.tif 000006
【図５】
2016190410.tif 000007
【図６Ａ】
2016190410.tif 000008
【図６Ｂ】
2016190410.tif 000009
【図７】
2016190410.tif 000010
【図８】
2016190410.tif 000011